(57)【要約】【課題】    写真や動画の二次元バーコードをシールとし、名刺に貼付したり、結婚式の案内状に貼付したり、手軽にプレゼンテーションに提供できる、二次元バーコードシールの自動販売機を提供することを課題とする。【解決手段】    投入貨幣を処理する貨幣処理手段と、操作を入力する入力手段と、被写体の画像を撮像するカメラと、画像や必要事項を編集する編集手段と、編集した画像を表示する表示手段と、編集した画像データを二次元バーコードに変換する変換手段と、変換された二次元バーコードデータをシールプリントするプリンタと、これらを制御する制御手段とを備え、貨幣の投入と入力操作に基づいて被写体をカメラで撮像して、表示手段で撮像した画像を表示すると共に、画像シールに編集し、二次元バーコードに変換し、プリンタでその二次元バーコードのシールをプリントして放出する二次元バーコードシール自動販売機である。【選択図】      図１
2006252495.tif 000002
【特許請求の範囲】
【請求項１】
投入貨幣を処理する貨幣処理手段と、操作を入力する入力手段と、被写体の画像を撮像するカメラと、画像や必要事項を編集する編集手段と、編集した画像を表示する表示手段と、編集した画像データを二次元バーコードに変換する変換手段と、変換された二次元バーコードデータをシールプリントするプリンタと、これらを制御する制御手段とを備え、  貨幣の投入と入力操作に基づいて被写体をカメラで撮像して、表示手段で撮像した画像を表示すると共に、画像シールに編集し、二次元バーコードに変換し、プリンタでその二次元バーコードのシールをプリントして放出する二次元バーコードシール自動販売機。
【請求項２】
投入貨幣を処理する貨幣処理手段と、操作を入力する入力手段と、被写体の動画を撮影するカメラと、動画や必要事項を編集する編集手段と、編集した動画を表示する表示手段と、編集した動画を二次元バーコードに変換する変換手段と、変換された二次元バーコードによるシールをプリントするプリンタと、これらを制御する制御手段とを備え、  貨幣の投入と入力操作に基づいて被写体の動画をカメラで撮像し、表示手段で撮像した動画を表示すると共に、動画を編集し、二次元バーコードに変換し、プリンタでその二次元バーコードのシールをプリントして放出する二次元バーコードシール自動販売機。
【請求項３】
前記の撮像した画像データまたは動画データをネットワーク回線を用いて編集処理サーバに送信するための送信手段と、編集処理された二次元バーコードデータを受信する受信手段と、受信したデータをシールプリントするプリンタと、これらの制御をする制御手段とを備え、  貨幣の投入と入力操作に基づいて被写体の画像又は動画をカメラで撮像して、表示手段で撮像した画像または動画を表示すると共に、その二次元バーコードシールをプリントして放出することを特徴とする請求項１又は請求項２に記載の二次元バーコードシール自動販売機。
【請求項４】
前記の編集された画像又は動画データをネットワーク回線を用いて二次元バーコード変換処理サーバに送信するための送信手段と、変換処理された二次元バーコードデータを受信する受信手段と、受信した二次元バーコードデータをシールプリントするプリンタと、これらの制御をする制御手段とを備え、  貨幣の投入と入力操作に基づいて被写体をカメラで撮像して、表示手段で撮像画像又は動画を表示すると共に、二次元バーコードシールをプリントして放出することを特徴とする請求項１又は請求項２に記載の二次元バーコードシール自動販売機。
【請求項５】
二次元バーコードシール自動販売機の二次元バーコード作成方法であって、被写体の画像又は動画を撮像する撮像ステップと、  撮像した画像や動画及び必要事項を編集する編集ステップと、  編集した画像や動画を表示する表示ステップと、  編集した画像や動画を二次元バーコードに変換するステップと、  変換された二次元バーコードによるシールをプリントするプリントステップとを含むことを特徴とする二次元バーコードシール  作成方法。
【請求項６】
インターネット接続機能を有する自動販売機を端末装置とし、インターネット回線網を通して二次元バーコードシールを提供する二次元バーコードシール自動販売システムにおいて、  投入貨幣を処理する貨幣処理手段と、被写体の画像又は動画を撮像するカメラと、画像又は動画データをシールプリントするプリント手段と、画像又は動画データを送受信する送信手段と、送受信データを表示する表示手段とを備えた二次元バーコードシール自動販売機と、  受信した画像又は動画データを編集する編集手段と、画像又は動画データを二次元バーコードデータに変換する変換処理手段とを備えた動画像処理サーバとから構成され、  貨幣の投入と入力操作に基づいて被写体の画像又は動画をカメラで撮像し、表示手段で撮像した画像又は動画データを表示すると共に、その二次元バーコードシールをプリントして放出することを特徴とする二次元バーコードシール自動販売システム。
【発明の詳細な説明】
【技術分野】
【０００１】  この発明は、例えば、娯楽施設や結婚式場、ホテル、パーティーなどにおいて、カメラで撮像した画像又は動画を二次元バーコードに変換し、プリンタでシール出力する二次元バーコードシール自動販売機に関する。
【背景技術】
【０００２】  近年、ショッピングセンタやゲームセンターなどにプリクラ専用機（「プリント倶楽部（プリクラ）」は、登録商標である）が多数設置され、撮影された顔写真を、あらかじめ用意された画像の背景中に配置され、いわゆる自画像シールとしてユーザに提供されている。【０００３】  このようなプリクラ専用機を利用して撮影されるプリクラ写真は、シール付きのスピ−ド顔写真の一種である。【０００４】  プリクラ専用機を利用することで、背景となる画像を好みに応じて選択し、娯楽性に富んだシール写真を手軽に撮影することが可能となっている。【０００５】  そして、若年層を中心に広く普及し、自らの撮影したプリクラ写真を親しい知人間で互いに交換したり、そのようなプリクラ写真を身の回りの携帯品などに貼付したりするプリクラの活用法が流行している。【０００６】  また、このようなプリクラ写真のような顔写真などの撮影結果を、ネットワークやそれを利用して情報通信を行う情報端末装置を活用して、より楽しめるようなサービスを提供しようとする技術（特開２００４−１５４２８）について開示されている。【０００７】  また、最近では、Ｗｅｂブラウザ機能を搭載した携帯電話、ＰＨＳ、携帯型情報端末等のモバイル端末のインターネット接続機能を利用して、モバイルサービスが提供されている。【０００８】  特に、最近注目されているモバイルサービスとして、モバイル端末と情報端末型自動販売機とを連携させたサービスの実証実験が実施されている。【０００９】  このサービスは、飲料会社、移動通信会社及び商社の提供するＷｅｂサイトに会員登録し、同サイトにアクセスしてドリンクや映画チケットを購入すると、同サイトを運営するネットワークサーバからモバイル端末へ二次元バーコードがダウンロードされるというものである。【００１０】  サービスの実証実験が行われている所定の地域にはパケット通信機能、バーコードリーダ、プリンタ、ディスプレイ、スピーカ、操作キー等を搭載した情報端末型の自動販売機が設置されている。【００１１】  利用者がネットワーク経由でダウンロードした二次元バーコードを自動販売機のバーコードリーダで読み取らせ、現金の入金等の決済処理を行うと、自動販売機はネットワークサーバとの交信による認証手続を経て、利用者が購入したドリンクを提供したり、映画チケット、地図、クーポン券、チケット、イベントキャンペーン情報、地域情報、公共情報等のサービスの提供を行うというようなものである。【００１２】  二次元バーコードとしては、ＱＲコードが広く知られている。【００１３】  このＱＲコードは株式会社デンソーが開発した、マトリックス方式の２次元コードであり、特長としては、高速読み取り（ＱＲは  Ｑｕｉｃｋ  Ｒｅｓｐｏｎｓｅ  の略）大容量・高記録密度・誤り訂正・連結等がある。【００１４】  また、二次元バーコードの読み取り機能を有する携帯電話の普及に伴い、名刺などに顔写真の二次元バーコードをプリントしておき、携帯電話で手軽に顔写真などを表示させるようにしたものなどもある。
【特許文献１】  特開２００４−１５４２８
【発明の開示】
【発明が解決しようとする課題】
【００１５】  このように、二次元バーコードが急速に普及され始めているが、その用途については、これからという状況であり、思考錯誤が繰り返されている。【００１６】  特に、その大容量であることから、写真や動画まで記録できるが、その活用については十分でなかった。【００１７】  本発明は、このような二次元バーコードの有効的な活用方法を提供するものであり、写真や動画の二次元バーコードをシールとし、名刺に貼付したり、結婚式の案内状に貼付したり、手軽にプレゼンテーションに提供できる、二次元バーコードシールの自動販売機を提供することを課題とする。
【課題を解決するための手段】
【００１８】  本発明の請求項１は、投入貨幣を処理する貨幣処理手段と、操作を入力する入力手段と、被写体の画像を撮像するカメラと、画像や必要事項を編集する編集手段と、編集した画像を表示する表示手段と、編集した画像データを二次元バーコードに変換する変換手段と、変換された二次元バーコードデータをシールプリントするプリンタと、これらを制御する制御手段とを備え、貨幣の投入と入力操作に基づいて被写体をカメラで撮像して、表示手段で撮像した画像を表示すると共に、画像シールに編集し、二次元バーコードに変換し、プリンタでその二次元バーコードのシールをプリントして放出する二次元バーコードシール自動販売機である。【００１９】  本発明の請求項２は、投入貨幣を処理する貨幣処理手段と、操作を入力する入力手段と、被写体の動画を撮影するカメラと、動画や必要事項を編集する編集手段と、編集した動画を表示する表示手段と、編集した動画を二次元バーコードに変換する変換手段と、変換された二次元バーコードによるシールをプリントするプリンタと、これらを制御する制御手段とを備え、貨幣の投入と入力操作に基づいて被写体の動画をカメラで撮像し、表示手段で撮像した動画を表示すると共に、動画を編集し、二次元バーコードに変換し、プリンタでその二次元バーコードのシールをプリントして放出する二次元バーコードシール自動販売機である。【００２０】  本発明の請求項３は、前記の撮像した画像データまたは動画データをネットワーク回線を用いて編集処理サーバに送信するための送信手段と、編集処理された二次元バーコードデータを受信する受信手段と、受信したデータをシールプリントするプリンタと、これらの制御をする制御手段とを備え、貨幣の投入と入力操作に基づいて被写体の画像又は動画をカメラで撮像して、表示手段で撮像した画像または動画を表示すると共に、その二次元バーコードシールをプリントして放出することを特徴とする二次元バーコードシール自動販売機である。【００２１】  本発明の請求項４は、前記の編集された画像又は動画データをネットワーク回線を用いて二次元バーコード変換処理サーバに送信するための送信手段と、変換処理された二次元バーコードデータを受信する受信手段と、受信した二次元バーコードデータをシールプリントするプリンタと、これらの制御をする制御手段とを備え、貨幣の投入と入力操作に基づいて被写体をカメラで撮像して、表示手段で撮像画像又は動画を表示すると共に、二次元バーコードシールをプリントして放出することを特徴とする二次元バーコードシール自動販売機である。【００２２】  本発明の請求項５は、二次元バーコードシール自動販売機の二次元バーコード作成方法であって、被写体の画像又は動画を撮像する撮像ステップと、撮像した画像や動画及び必要事項を編集する編集ステップと、編集した画像や動画を表示する表示ステップと、編集した画像や動画を二次元バーコードに変換するステップと、変換された二次元バーコードによるシールをプリントするプリントステップとを含むことを特徴とする二次元バーコードシール  作成方法である。【００２３】  本発明の請求項６は、インターネット接続機能を有する自動販売機を端末装置とし、インターネッ���回線網を通して二次元バーコードシールを提供する二次元バーコードシール自動販売システムにおいて、投入貨幣を処理する貨幣処理手段と、被写体の画像又は動画を撮像するカメラと、画像又は動画データをシールプリントするプリント手段と、画像又は動画データを送受信する送信手段と、送受信データを表示する表示手段とを備えた二次元バーコードシール自動販売機と、受信した画像又は動画データを編集する編集手段と、画像又は動画データを二次元バーコードデータに変換する変換処理手段とを備えた動画像処理サーバとから構成され、貨幣の投入と入力操作に基づいて被写体の画像又は動画をカメラで撮像し、表示手段で撮像した画像又は動画データを表示すると共に、その二次元バーコードシールをプリントして放出することを特徴とする二次元バーコードシール自動販売システムである。
【発明の効果】
【００２４】  本発明では、以下の効果を奏する。【００２５】  １）二次元バーコードをシールにすることで、種々の媒体に貼りつけて手軽に活用できる。【００２６】  ２）カメラなどがなくても画像や動画の二次元バーコードを作成できる。【００２７】  ３）自動販売機とすることで、各種のイベント場に移動して設置することができる。【００２８】  ４）小さなカードなどにも、画像や動画で十分なメッセージを伝えることができる。【００２９】  ５）ウェブサーバにより、背景やコメントなどをリアルタイムで追加できる。【００３０】  ６）二次元バーコードの用途として娯楽性を高め、幅広く普及できる。
【発明を実施するための最良の形態】
【００３１】  以下の本発明の実施の形態について図面を用いて説明する。【００３２】  図１は、本発明による二次元バーコードシール自動販売機システムの実施例を示す図である。【００３３】  この二次元バーコードシール自動販売機システムは、二次元バーコードシール自動販売機１と、インターネット網２を経由して接続される、ウェブサーバ３とからなり、ウェブサーバ３側において、画像又は動画を編集し、自動販売機１側で二次元バーコードシールデータを受信してプリントして放出するシステムである。【００３４】  図２は、ウェブサーバのシステムの実施例を示す図である。【００３５】  このウェブサーバ３には、通信管理手段１０と、編集手段１１と、二次元バーコード変換手段１２と、データ保存手段１３とが設けられている。【００３６】  該通信管理手段１０は、二次元バーコードシール自動販売機からのデータの送受信を管理するものである。【００３７】  該編集手段１１は、二次元バーコードシール自動販売機から送信されてきた画像データ又は動画データを編集するものであり、該画像の背景や色調を設定したり、動画の編集やフレーム設定、メッセージの挿入などの各種の編集を行うものである。【００３８】  該二次元バーコード変換手段１２は、編集された画像や動画データを二次元バーコードデータに変換するものである。【００３９】  該データ保存手段１３は、二次元バーコードデータＤＢ１４と、画像データＤＢ１５と、動画データＤＢ１６が設けられ、受信データ、編集データ、二次元バーコード変換データなどを記録するものである。【００４０】  図３は、二次元バーコードシール自動販売機のシステムの実施例を示す図である。【００４１】  この二次元バーコードシール自動販売機には、通信管理手段２１と、制御手段２２と、入力手段２３と、貨幣処理手段２４と、撮像手段２５と、編集・表示手段２６と、記憶手段２７と、プリント手段２８が設けられている。【００４２】  該通信管理手段２１は、インターネット２を介してウェブサーバ３へのデータの送受しを管理するものである。【００４３】  該制御手段２２は、入力手段２３と、貨幣処理手段２４と、撮像手段２５と、編集・表示手段２６と、記憶手段２７と、プリント手段２８を相互に制御するものである。【００４４】  該入力手段２３は、二次元バーコードシール自動販売機の操作パネルからの入力手段であり、キーボードやタッチパネルやマウスデバイスなどである。【００４５】  該貨幣処理手段２４は、作成される二次元バーコードシールの種類により金額の設定が行われ、コインの投入により、販売条件を設定するものである。【００４６】  該撮像手段２５は、被写体の画像又は動画を撮影するためのものであり、デジタルカメラやビデオカメラなどである。【００４７】  該編集・表示手段２６は、撮像された画像データや動画データを編集するためのものであり、背景やフレーム、色調などの設定により希望の編集を可能とし、その編集結果を画面に表示して確認できるようにするものである。【００４８】  該記憶手段２７は、二次元バーコードシール自動販売機の使用状況を記録するものであり、使用日時や使用条件、料金データなどが記憶される。【００４９】  該プリント手段２���は、編集された二次元バーコードシールをプリントするためのものであり、プリント条件に従ってカラープリントして放出するものである。【００５０】  このような構成による二次元バーコードシール自動販売機システムにおいては、図４に示すように動作する。【００５１】  Ｓ−１）撮影条件設定最初に、二次元バーコードシール自動販売機１の操作パネルから、画像撮影又は動画撮影のいずれかを選択する。【００５２】  Ｓ−２）コイン投入上記の選択により、投入金額が表示され、その金額のコインをコイン投入口より挿入する。【００５３】  Ｓ−３）カメラ撮影コインの投入により、音声で撮影開始のアナウンスがあり、画像の場合は指定の回数の撮影が行われ、動画の場合には、撮影時間と開始の合図がアナウンスされて撮影される。【００５４】  Ｓ−４）編集処理撮影後、画像の場合には、背景、色調、配置などの選択を行い、編集終了を押す。【００５５】  動画の場合には、フレーム、色調、録画部などの選択を行い、編集終了を押す。【００５６】  編集後の画像及び動画が画面に表示される。【００５７】  Ｓ−５）二次元バーコード変換処理編集後の表示画面でＯＫであれば、変換ボタンを押し、二次元バーコードデータへの変換を行う。【００５８】  Ｓ−６）プリント設定二次元バーコード変換が終了すると、プリント設定画面が表示され、プリント枚数などの設定を行い、プリントボタンを押す。【００５９】  必要に応じてコインを投入する。【００６０】  Ｓ−７）シール放出シール放出口より、二次元バーコードシールは放出される。【００６１】  このように、簡単に被写体の撮影を行い、簡単な編集により、二次元バーコードシールを作成することができる。【００６２】  本実施例では、画像又は動画データの編集及び二次元バーコードへの変換をウェブサーバ上で行ったが、これらを二次元バーコードシール自動販売機内に設けても良い。【００６３】  また、ウェブサーバから直接メールで二次元バーコードシールデータを送信できるようにしても良い。
【図面の簡単な説明】
【００６４】
【図１】  本発明による二次元バーコードシール自動販売機システムの実施例を示す図である。
【図２】  ウェブサーバのシステムの実施例を示す図である。
【図３】  二次元バーコードシール自動販売機のシステムの実施例を示す図である。
【図４】  二次元バーコードシール自動販売機システムの動作を示すフロー図である。
【符号の説明】
【００６５】１  二次元バーコードシール自動販売機
２  インタネット網
３  ウェブサーバ
１０  通信管理手段
１１  編集手段
１２  二次元バーコード変換手段
１３  データ保存手段
１４  二次元バーコードデータＤＢ
１５  画像データＤＢ
１６  動画データＤＢ
２１  通信管理手段
２２  制御手段
２３  入力手段
２４  貨幣処理手段
２５  撮像手段
２６  編集・表示手段
２７  記憶手段
２８  プリント手段
【図１】
2006252495.tif 000003
【図２】
2006252495.tif 000004
【図３】
2006252495.tif 000005
【図４】
2006252495.tif 000006